(57)【要約】【課題】  被写体がどのような情報を受けているか、カメラの状態がどうなっているかを、カメラを構えた状態で撮影者も容易に視認可能とする。【解決手段】  リング発光制御部３５は、制御部３０の制御の下、レンズ１１の周囲に設けられたリング発光部３６の点灯（消灯）、点滅周期、発光色を制御することにより、被写体にＡＦ状態、セルフタイマ撮影時のシャッターオンまでの残り時間を知らせたり、フラッシュ補助光として用いたりする。このとき、リング発光部３６の発光状態と同じ状態を、表示部２５のアイコンで表示する。【選択図】  図１
2006191234.tif 000002
【特許請求の範囲】
【請求項１】
撮像手段と、
前記撮像手段が撮像する方向へ発光する発光手段と、
前記撮像手段によって撮影された画像を表示する表示手段と、
当該装置の撮影状態を検出する検出手段と、
この検出手段によって検出された撮影状態を前記表示手段に表示すると共に、この撮影状態に応じた態様で前記発光手段による発光態様を制御する制御手段と
を具備することを特徴とする撮影装置。
【請求項２】
前記制御手段は、前記検出手段によって検出された撮影状態に基づいて、前記発光手段の発光色を変化させることを特徴とする請求項１記載の撮影装置。
【請求項３】
前記撮影状態とは、前記撮像手段における合焦の未完状態、完了状態であることを特徴とする請求項１または２記載の撮影装置。
【請求項４】
前記撮影状態とは、セルフタイマ撮影における撮影指示操作から前記撮像手段による実際の撮影までの経過時間を被写体に示すべく、前記発光手段の発光状態を制御することであることを特徴とする請求項１または２記載の撮影装置。
【請求項５】
撮像部により撮像した画像を撮り込み、この撮りこまれた画像を表示部に表示する撮像装置の動作状態提示方法であって、
前記撮像部が撮像する方向へ発光する発光部を備え、
撮影状態を検出する検出ステップと、
この検出ステップにて検出された撮影状態を前記表示部に表示すると共に、この撮影状態に応じた態様で前記発光部の発光態様を制御する制御ステップと
からなることを特徴とする動作状態提示方法。
【請求項６】
撮像部にて撮像された画像を表示出力するコンピュータが実行する動作状態提示プログラムであって、
前記撮像部が撮像する方向へ発光する発光部を備え、
前記撮像部の撮影状態を検出する検出ステップと、
この検出ステップにて検出された撮影状態を表示出力すると共に、この撮影状態に応じた態様で前記発光部の発光態様を制御する制御ステップと
をコンピュータに実行させることを特徴とする動作状態提示プログラム。
【発明の詳細な説明】
【技術分野】
【０００１】
本発明は、デジタルカメラなどの撮影機能を有する撮像装置、動作状態提示方法、および動作状態提示プログラムに関する。
【背景技術】
【０００２】
近年、デジタルカメラやカメラ機能を有する携帯電話など、撮影機能を有する撮影装置が普及している。そして、このような撮影装置においてはレンズ周りに発光手段を設け、被写体（人物）に対し、注目させる機能を有するものがある（例えば、特許文献１参照）。
【特許文献１】特開２００４−２１４７９７号公報
【発明の開示】
【発明が解決しようとする課題】
【０００３】
しかしながら、上記従来技術の場合、被写体は、撮影直前に発光するので撮影されるタイミングが分かるが、撮影者にとっては、カメラを構えた状態では、被写体に対してどのような情報（発光手段の状態）が提示されているのかが分かりにくいという問題があった。例えばＡＦ状態について言えば、撮影者と被写体との間で撮影タイミング（シャッターオン）の認知にずれが生じて、撮影タイミングとポーズイングとがずれてしまうため、いわゆるブレが生じるという問題がある。
【０００４】
そこで本発明は、被写体がどのような情報を受けているか、カメラの状態がどうなっているかを、カメラを構えた状態で撮影者も容易に視認することができる撮像装置、動作状態提示方法、および動作状態提示プログラムを提供することを目的とする。
【課題を解決するための手段】
【０００５】
上記目的達成のため、請求項１記載の発明による撮影装置は、撮像手段と、前記撮像手段が撮像する方向へ発光する発光手段と、前記撮像手段によって撮影された画像を表示する表示手段と、当該装置の撮影状態を検出する検出手段と、この検出手段によって検出された撮影状態を前記表示手段に表示すると共に、この撮影状態に応じた態様で前記発光手段による発光態様を制御する制御手段とを具備することを特徴とする。
【０００６】
また、好ましい態様として、例えば請求項２記載のように、請求項１記載の撮影装置において、前記制御手段は、前記検出手段によって検出された撮影状態に基づいて、前記発光手段の発光色を変化させるようにしてもよい。
【０００７】
また、好ましい態様として、例えば請求項３記載のように、請求項１または２記載の撮影装置において、前記撮影状態とは、前記撮像手段における合焦の未完状態、完了状態であってもよい。
【０００８】
また、好ましい態様として、例えば請求項４記載のように、請求項１または２記載の撮影装置において、前記撮影状態とは、セルフタイマ撮影における撮影指示操作から前記撮像手段による実際の撮影までの経過時間を被写体に示すべく、前記発光手段の発光状態を制御することであってもよい。
【０００９】
また、上記目的達成のため、請求項５記載の発明による動作状態提示方法は、撮像部により撮像した画像を撮り込み、この撮りこまれた画像を表示部に表示する撮像装置の動作状態提示方法であって、前記撮像部が撮像する方向へ発光する発光部を備え、撮影状態を検出する検出ステップと、この検出ステップにて検出された撮影状態を前記表示部に表示すると共に、この撮影状態に応じた態様で前記発光部の発光態様を制御する制御ステップとからなることを特徴とする。
【００１０】
また、上記目的達成のため、請求項６記載の発明による動作状態提示プログラムは、撮像部にて撮像された画像を表示出力するコンピュータが実行する動作状態提示プログラムであって、前記撮像部が撮像する方向へ発光する発光部を備え、前記撮像部の撮影状態を検出する検出ステップと、この検出ステップにて検出された撮影状態を表示出力すると共に、この撮影状態に応じた態様で前記発光部の発光態様を制御する制御ステップとをコンピュータに実行させることを特徴とする。
【発明の効果】
【００１１】
請求項１記載の発明によれば、制御手段により、検出手段によって検出された撮影状態を、撮像手段によって撮影された画像を表示する表示手段に表示すると共に、この撮影状態に応じた態様で前記発光手段による発光態様を制御するようにしたので、被写体がどのような情報を受けているか、カメラの状態がどうなっているかを、カメラを構えた状態で撮影者も容易に視認することができるという利点が得られる。
【００１２】
また、請求項２記載の発明によれば、前記制御手段により、前記検出手段によって検出された撮影状態に基づいて、前記発光手段の発光色を変化させるようにしたので、被写体がどのような情報を受けているか、カメラの状態、特に合焦の状態がどうなっているかを、カメラを構えた状態で撮影者も容易に視認することができるという利点が得られる。
【００１３】
また、請求項３記載の発明によれば、前記撮像手段における合焦の未完状態、完了状態を撮影状態として前記発光手段による発光態様を制御するようにしたので、合焦の状態がどうなっているかを、カメラを構えた状態で撮影者も容易に視認することができるという利点が得られる。
【００１４】
また、請求項４記載によれば、前記発光制御手段により、セルフタイマ撮影における撮影指示操作から前記撮像手段による実際の撮影までの経過時間を被写体に示すべく、前記発光手段の発光状態を制御するようにしたので、被写体がどのような情報を受けているか、カメラの状態、特に撮影タイミングが近いかどうかを、カメラを構えた状態で撮影者も容易に視認することができるという利点が得られる。
【００１５】
また、請求項５記載によれば、検出ステップで撮影状態を検出し、制御ステップで、検出された撮影状態を前記表示部に表示すると共に、この撮影状態に応じた態様で前記発光部の発光態様を制御するようにしたので、被写体がどのような情報を受けているか、カメラの状態がどうなっているかを、カメラを構えた状態で撮影者も容易に視認することができるという利点が得られる。
【００１６】
また、請求項６記載の発明によれば、前記撮像部の撮影状態を検出する検出ステップと、この検出ステップにて検出された撮影状態を表示出力すると共に、この撮影状態に応じた態様で前記発光部の発光態様を制御する制御ステップとをコンピュータに実行させるようにしたので、被写体がどのような情報を受けているか、カメラの状態がどうなっているかを、カメラを構えた状態で撮影者も容易に視認することができるという利点が得られる。
【発明を実施するための最良の形態】
【００１７】
以下、本発明の実施の形態を、デジタルカメラに適用した一実施例として、図面を参照して説明する。
【００１８】
Ａ．実施形態の構成
図１は、本実施形態によるデジタルカメラ１の構成を示すブロック図である。画像取得部１０は、レンズ１１、シャッター１２、ＬＰＦ１３からなる。レンズ１１は、通常の光学レンズであり、非球面レンズを重ねたレンズ群からなる。シャッター１２は、シャッタボタン２７１が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行なう。ＬＰＦ１３は、水晶ローパスフィルタであり、モアレの発生を防ぐために搭載されている。
【００１９】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行なう。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２０】
次に、制御部（ＣＰＵ）２０は、後述するプログラムメモリ格納されるプログラムに基づいてデジタルカメラ１（撮像装置）の全体を制御する。プレビューエンジン２２は、録画モード（記録モード、撮影モードともいう）において、画像取得部１０、アナログ信号処理部１５を介して入力されたデジタルデータ、もしくはシャッター操作検出直後、イメージバッファ２６に格納されたデジタルデータ、および、画像メモリ３１に格納されたデジタルデータを表示部２５に表示させるために間引き処理を行なう。
【００２１】
Ｄ／Ａコンバータ２３は、プレビューエンジン２２により間引き処理されたデジタルデータを変換し、後段のドライバ２４に出力する。ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００２２】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、後述するシャッタボタン２７１、記録／再生モード選択スライドスイッチ２７２、メニューボタン２７３、及び、十字キー（中央押しで決定）２７４からなる。また、シャッタボタン２７１の半押しを検出するための半押し検出機構２７５を内蔵している。デジタル信号処理部２８は、アナログ信号処理部１５を介して入力されたデジタルデータ（非圧縮のＲＡＷイメージデータ）に対して、ホワイトバランス処理、色処理、階調処理、輸郭強調を行なう。
【００２３】
また、デジタル信号処理部２８は、画像取得部１０およびアナログ信号処理部１５により取り込んだ画像データからＥｘｉｆ規格に従った画像ファイルを生成する。画像圧縮／伸張処理部２９は、デジタル信号処理部２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。プログラムメモリ３０は、制御部２０にロードされる各種プログラムや、ベストショット機能におけるＥＶ値、色補正情報などを格納する。また、ＤＣＦ規格に準拠されているファイルに埋め込むべき各種情報も記憶している。画像メモリ３１は、各種ファイル形式に変換されたデジタルデータを格納する。カードＩ／Ｆ３２は、外部記録媒体３３と撮像装置本体との間のデータ交換を制御する。外部記録媒体３３は、コンパクトフラッシュ（登録商標）、メモリースティック、ＳＤカード等からなる。外部接続用Ｉ／Ｆ３４は、ＵＳＢコネクター用スロットなどからなり、パーソナルコンピュータなどと接続され、撮影した画像データの転送などに用いられる。
【００２４】
リング発光制御部３５は、制御部３０の制御の下、リング発光部３６の点灯（消灯）、点滅、発光色を制御する。リング発光部３６は、レンズ１１の周囲に設けられた発光手段であり、例えば発光ダイオード、ＥＬ発光体などからなる。
【００２５】
Ａ−２．外観
次に、図２は、本実施形態によるデジタルカメラ１の外観（正面および背面）を示す模式図である。デジタルカメラ１本体の正面には、レンズ１１が配置されており、該レンズの周囲には、リング状のリング発光部３６が配置されている。また上部には上述のシャッタボタン２７１（半押し検出機構２７５を内蔵する）を備えている。一方、デジタルカメラ１本体の背面には、表示部２５と、上述の記録／再生モード選択スライドスイッチ２７２、メニューボタン２７３、及び、十字キー２７４が配置されている。また、表示部２５には、上記リング発光部３６の発光状態（点灯、消灯、点滅、発光色）を示すアイコン３７が表示されるようになっている。なお、液晶ファインダを備えるデジタルカメラの場合には、表示部２５への表示に加え、液晶ファインダにアイコン３７を表示するようにしてもよい。
【００２６】
Ｂ．実施形態の動作
次に、上述した実施形態の動作について説明する。
Ｂ−１．通常撮影
図３および図４は、デジタルカメラ１の撮影時の動作を説明するためのフローチャートである。また、図５は、同デジタルカメラ１の撮影時におけるリング発光部３６および表示部２５のアイコン３７の発光・表示の様子を示す模式図である。記録／再生モード選択スライドスイッチが操作されることにより撮影モードが選択されると、まず、撮像モジュール（画像取得部１０、アナログ信号処理部１５）、測光部を起動し（ステップＳ１０）、測光を行い（ステップＳ１２）、シャッター速度／絞りを設定し（ステップＳ１４）、撮像モジュールにより撮影されている映像をリアルタイムで表示部２５にスルー表示する（ステップＳ１６）。
【００２７】
次に、半押し検出機構２７５によってシャッタボタン２７１が押下（半押し）されたか否かを判断し（ステップＳ１８）、シャッタボタン２７１が押下（半押し）されない場合には、ステップＳ１２へ戻り、スルー画像の表示を継続する。そして、シャッタボタン２７１が押下（半押し）されると、ＡＦ動作を行い（ステップＳ２０）、合焦したか否かを判断する（ステップＳ２２）。合焦が完了していない場合には、図５の上部に示すように、リング発光部３６および表示部２５のアイコン３７を赤色で点灯し（ステップＳ２４）、ステップＳ２０でＡＦ動作を継続する。これより、被写体および撮影者は、まだ合焦していないことを認知することができる。
【００２８】
そして、合焦すると、ＡＦ固定し（ステップＳ２６）、図５の下部に示すように、リング発光部３６および表示部２５のアイコン３７を緑色で点灯するとともに、合焦したことを知らせる合焦音を出力する（ステップＳ２８）。これより、被写体および撮影者は、合焦したことを認知することができる。
【００２９】
次に、シャッタボタン２７１が押下（全押し）されたか否かを判断し（ステップＳ３０）、シャッタボタン２７１が押下（全押し）されない場合には、シャッタボタン２７１が解除されたか否かを判断し（ステップＳ３２）、解除されてない場合には、ステップＳ３０へ戻り、全押しされるまで、その状態を維持する。一方、シャッタボタン２７１が解除された場合には、ステップＳ１２へ戻り、再び、スルー表示以降の処理を継続する。
【００３０】
一方、シャッタボタン２７１が押下（全押し）されると、測光部のデータに従って、露出、シャッター速度、フラッシュ発光等を自動制御して撮影する（ステップＳ３４）。次に、撮影した画像をイメージバッファ２６に記録し、表示部２５に表示する（ステップＳ３６）。次に、撮影画像データに対して符号化／変換／圧縮処理を行い（ステップＳ３８）、該画像処理した画像データを画像メモリ３１に記録する（ステップＳ４０）。そして、前述したステップＳ１２以降のスルー表示へ戻る。
【００３１】
Ｂ−２．セルフタイマ撮影
次に、セルフタイマ撮影の動作について説明する。ここで、図６および図７は、デジタルカメラ１のセルフタイマ撮影時の動作を説明するためのフローチャートである。また、図８は、同デジタルカメラ１のセルフタイマ撮影時におけるリング発光部３６および表示部２５のアイコン３７の発光・表示の様子を示す模式図である。
【００３２】
まず、前述した通常撮影のステップＳ１０〜Ｓ１６が実行され、被写体が表示部２５にスルー表示される。この状態で、メニューキー２７３、及び十字キー２７４による所定の操作の検出および決定検出によりセルフタイマが設定されたか否かを判断する（ステップＳ５０）。ここで、セルフタイマが設定されない場合には、前述した通常撮影へ進む（ステップＳ５２）。一方、セルフタイマが設定されると、セルフタイマをセット（例えば、５秒、あるいは１０秒など）し（ステップＳ５４）、シャッタボタン２７１が押下（半押し）されたか否かを判断する（ステップＳ５６）。
【００３３】
そして、シャッタボタン２７１が押下（半押し）されない場合には、前述した通常動作のステップＳ１２へ戻り、スルー画像の表示を継続する。そして、シャッタボタン２７１が押下（半押し）されると、ＡＦ動作を行い（ステップＳ５８）、合焦したか否かを判断する（ステップＳ６０）。合焦が完了していない場合には、ステップＳ５８でＡＦ動作を継続する。
【００３４】
そして、合焦すると、ＡＦ固定し（ステップＳ６２）、合焦したことを知らせる合焦音を出力する（ステップＳ２８）。次に、シャッタボタン２７１が押下（全押し）されたか否かを判断し（ステップＳ６６）、シャッタボタン２７１が押下（全押し）されない場合には、シャッタボタン２７１が解除されたか否かを判断し（ステップＳ６８）、解除されてない場合には、ステップＳ６６へ戻り、全押しされるまで、その状態を維持する。一方、シャッタボタン２７１が解除された場合には、前述した通常動作のステップＳ１２へ戻り、再び、スルー表示以降の処理を継続する。
【００３５】
一方、シャッタボタン２７１が押下（全押し）されると、セルフタイマのカウントダウンを開始し（ステップＳ７０）、残り時間に応じた点滅周期で、リング発光部３６および表示部２５のアイコン３７とを点滅させる（ステップＳ７２）。次に、セルフタイマがタイムアップしたか否かを判断し（ステップＳ７４）、タイムアップしていなければ、ステップＳ７２へ戻る。以下、タイムアップするまで、残り時間に応じた点滅周期で、リング発光部３６および表示部２５のアイコン３７を点滅させる。これにより、図８に示すように、セルフタイマの残り時間に応じて徐々にリング発光部３６および表示部２５のアイコン３７との点滅周期が短くなり、速く点滅することになる。
【００３６】
そして、セルフタイマがタイムアップすると、測光部のデータに従って、露出、シャッター速度、フラッシュ発光等を自動制御して撮影する（ステップＳ７６）。次に、撮影した画像をイメージバッファ２６に記録し、表示部２５に表示する（ステップＳ７８）。次に、撮影画像データに対して符号化／変換／圧縮処理を行い（ステップＳ８０）、該画像処理した画像データを画像メモリ３１に記録する（ステップＳ８２）。そして、前述した通常撮影のステップＳ１２以降のスルー表示へ戻る。
【００３７】
なお、上述した動作において、タイムアップするまで、残り時間に応じた点滅周期で、リング発光部３６および表示部２５のアイコン３７を点滅させるようにしたが、これに加えて、図９に示すように、点滅周期に応じてリング発光部３６および表示部２５のアイコン３７の発光色を、例えば緑色から赤色へと変化させてもよい。
【００３８】
Ｂ−３．フラッシュ補助光
次に、リング発光部３６をフラッシュ補助光として作動させて撮影する動作について説明する。ここで、図１０は、リング発光部３６をフラッシュ補助光として作動させて撮影する動作を説明するためのフローチャートである。また、図１１は、同デジタルカメラ１のフラッシュ撮影でのフラッシュ補助光使用時におけるリング発光部３６および表示部２５のアイコン３７の発光・表示の様子を示す模式図である。
【００３９】
撮影モードが選択されると、まず、撮像モジュール（画像取得部１０、アナログ信号処理部１５）、測光部を起動し（ステップＳ９０）、測光を行い（ステップＳ９２）、十分な光量であるか否かを判断する（ステップＳ９４）。そして、十分な光量がない場合には、図１１に示すように、リンク発光部３６および表示部２５のアイコン３７を白色で点灯する（ステップＳ９６）。これにより、光量不足を補う。一方、十分な光量がある場合には、何もせずに次へ進む。
【００４０】
次に、シャッター速度／絞りを設定し（ステップＳ９８）、撮像モジュールにより撮影されている映像をリアルタイムで表示部２５にスルー表示する（ステップＳ１００）。次に、シャッタボタン２７１が押下（半押し）されたか否かを判断し（ステップＳ１０２）、シャッタボタン２７１が押下（半押し）されない場合には、ステップＳ５２へ戻り、スルー画像の表示を継続する。一方、シャッタボタン２７１が押下（半押し）されると、ＡＦ動作を行い（ステップＳ１０４）、以下、通常撮影（ステップＳ２２以降）へ進み、撮影を行う。
【００４１】
上述した実施形態によれば、レンズ周囲に設けたリング発光部３６の発光状態を、表示部２５のアイコンで表示するようにしたことで、被写体に知らせているデジタルカメラ１の動作状態を、カメラを構えた状態の撮影者も容易に視認することができる。
【００４２】
なお、上述した実施形態においては、表示部２５のアイコンをレンズ周囲のリング発光部３６の発光状態に同期させるようにしたが、これに限らず、撮影者側で確認できるものであれば、例えば、表示部２５に表示されるＡＦ枠の表示状態を同期させるようにしてもよい。また、上述した実施形態では、デジタルカメラに付いてのみ説明したが、これに限らず、通常のカメラ付き携帯電話や撮影機能付き、もしくは撮影機能を装着可能な携帯情報端末（ＰＤＡ）などに適用してもよい。
【図面の簡単な説明】
【００４３】
【図１】本実施形態によるデジタルカメラの構成を示すブロック図である。
【図２】本実施形態によるデジタルカメラの外観を示す模式図である。
【図３】デジタルカメラの撮影時の動作を説明するためのフローチャートである。
【図４】デジタルカメラの撮影時の動作を説明するためのフローチャートである。
【図５】デジタルカメラの撮影時におけるリング発光部３６および表示部２５のアイコン３７の発光・表示の様子を示す模式図である。
【図６】デジタルカメラのセルフタイマ撮影時の動作を説明するためのフローチャートである。
【図７】デジタルカメラのセルフタイマ撮影時の動作を説明するためのフローチャートである。
【図８】デジタルカメラのセルフタイマ撮影時におけるリング発光部３６および表示部２５のアイコン３７の発光・表示の様子を示す模式図である。
【図９】デジタルカメラのセルフタイマ撮影時におけるリング発光部３６および表示部２５のアイコン３７の発光・表示の他の様子を示す模式図である。
【図１０】リング発光部３６をフラッシュ補助光として作動させて撮影する動作を説明するためのフローチャートである。
【図１１】デジタルカメラのフラッシュ撮影でのフラッシュ補助光使用時におけるリング発光部３６および表示部２５のアイコン３７の発光・表示の様子を示す模式図である。
【符号の説明】
【００４４】
１０  画像取得部（撮像手段）
１１  レンズ
１２  シャッター
１３  ＬＰＦ
１４  ドライバ
１５  アナログ信号処理部（撮像手段）
１６  撮像センサ
１７  サンプリング／信号増幅処理部
１８  Ａ／Ｄコンバータ
２０  制御部（検出手段、制御手段）
２２  プレビューエンジン
２３  Ｄ／Ａコンバータ
２４  ドライバ
２５  表示部（表示手段）
２６  イメージバッファ
２７  キー操作部
２８  デジタル信号処理部
２９  画像圧縮／伸張処理部
３０  プログラムメモリ
３１  画像メモリ
３２  カードＩ／Ｆ
３３  外部記録媒体
３４  外部接続Ｉ／Ｆ
３５  レンズ発光制御部（制御手段）
３６  レンズ発光部（発光手段）
３７  アイコン
２７１  シャッタボタン
２７２  記録／再生モード選択スライドスイッチ
２７３  メニューボタン
２７４  十字キー
２７５  半押し検出機構（検出手段）
【図１】
2006191234.tif 000003
【図２】
2006191234.tif 000004
【図３】
2006191234.tif 000005
【図４】
2006191234.tif 000006
【図５】
2006191234.tif 000007
【図６】
2006191234.tif 000008
【図７】
2006191234.tif 000009
【図８】
2006191234.tif 000010
【図９】
2006191234.tif 000011
【図１０】
2006191234.tif 000012
【図１１】
2006191234.tif 000013